(57)【要約】【課題】導光体を収納する枠体の壁部に導光体を付勢するための押圧部を設けた場合であっても、導光体を枠体へ組込み易く、尚且つ枠体の強度を損なわない照明装置を提供する。【解決手段】導光体１２を収納する樹脂ケース１１の壁部に、樹脂ケース１１の内底面へ向かって傾斜する舌片状の押圧部１４を壁部の一部を切り出すこと無く一体的に形成する。こうすることで、導光体１２を樹脂ケース１１内に組込む際には、導光体１２を樹脂ケース１１に対して概ね垂直に押し付けるだけでよく、導光体１２の組込み作業が効率的に行え、その一方で、押圧部は、樹脂ケース１１の一部を切り出すこと無く一体的に形成されているため、その部位周辺の強度が低下することはない。【選択図】図１
2009032541.tif 000002
【特許請求の範囲】
【請求項１】
導光体と、当該導光体に光を供給する光源と、前記導光体と前記光源とを収納する枠体とを備え、前記枠体の壁部に前記導光体を当該壁部と対向する側へ付勢する押圧部が設けられた照明装置であって、
前記押圧部は、前記導光体を前記枠体に組込む方向に傾斜する傾斜面を備えた舌片状乃至はそれよりも幅広の庇状とされ、前記枠体の一部を切り出すこと無く前記枠体と一体的に形成されていることを特徴とする照明装置。
【請求項２】
前記押圧部は、前記枠体の壁部の強度分布に応じて配置密度が変化するように複数配置されていることを特徴とする請求項１に記載の照明装置。
【請求項３】
前記押圧部は、前記枠体の壁部のうち強度が高い部位からそれよりも低い部位へ連続的に跨るように形成されていることを特徴とする請求項１、又は２に記載の照明装置。
【請求項４】
前記枠体は、外形が多角形状を成し、前記押圧部は、当該枠体の角部からそれと離反する側へ連続的に跨るように形成されていることを特徴とする請求項３に記載の照明装置。
【請求項５】
前記押圧部は、先端の幅が付根の幅よりも狭いことを特徴とする請求項１〜４の何れか１つに記載の照明装置。
【請求項６】
前記押圧部は、付根から先端に向かって幅が漸減することを特徴とする請求項５に記載の照明装置。
【請求項７】
前記押圧部は、一部が前記導光体の発光面よりも高位に配置されると共に、当該高位に配置された部位に前記導光体の発光面側に向かって傾斜する傾斜面を備え、当該傾斜面に端部が当接した状態で前記導光体の発光面上に光学シートが配置されていることを特徴とする請求項１〜６の何れか１つに記載の照明装置。
【発明の詳細な説明】
【技術分野】
【０００１】
本発明は、導光体を枠体に収納して成る照明装置に関するものである。
【背景技術】
【０００２】
導光体を有底のケースや額縁状のフレーム等の枠体に収納して成る照明装置においては、導光体が枠体内に確実に位置決め固定されていないと、照明装置に外部から応力や衝撃が加えられた際に、枠体内に収納された導光体に位置ズレが生じて光源との位置関係が変化し、光源と導光体との間で光漏れや光の乱反射が生じて導光体への入光効率が低下したり、導光体から出射された光（照明光）に輝度ムラが生じる虞、また、導光体を始めとする構成部材自体が破損したり脱落する虞があり、その対策として、枠体の壁部に弾性を有する押圧部を設け、それを導光体に圧接させることで導光体を枠体内の所定位置に位置決め固定した照明装置が提案されている。
【０００３】
図９は、枠体の壁部に押圧部が設けられた従来の照明装置を示す図で、（ａ）分解斜視図、（ｂ）（ａ）の要部拡大図である。ここに示す従来の照明装置においては、平板状の導光体（導光板）１を収納する有底の樹脂ケース２の壁部２ａに、導光体１を樹脂ケース２内において光源モジュール３配置側へ付勢する舌片状の押圧部４が樹脂ケース２と一体的に形成されている。（例えば、特許文献１、２参照）
【０００４】
押圧部４は、図９（ｂ）に示すように樹脂ケース２の壁部２ａを舌片状に切り出すことで形成され、それによってある程度の弾性が付与されていると共に、先端には、樹脂ケース２の内側に向かって突出する半球状の突起部４ａが設けられている。
【０００５】
導光体１を樹脂ケース２に収納する際には、まず、樹脂ケース２の一部に設けられた光源収納用凹部２ｂに光源モジュール３を組込み、その後、導光体１を樹脂ケース２の開口端（上方）から樹脂ケース２内に落とし込む。その時、導光体１の一側端部は、導光体１を樹脂ケース２内に落とし込む途中で、樹脂ケース２の壁部２ａに設けられた押圧部４の突起部４ａに突き当たって係止された状態となり、その状態から導光体１を押圧部４の弾性に抗して更に押し込むと、導光体１の一側端部が突起部４ａの球面上を摺動して係止状態が解除され、導光体１が樹脂ケース２内に完全に収納された状態になると同時に、押圧部４が導光体１の側面に圧接した状態となって導光体１が光源モジュール３側に付勢され、導光体１が樹脂ケース２内の所定位置に位置決め固定される。
【特許文献１】特開２００３−１０７４６７号公報
【特許文献２】特開２００３−１９７０２１号公報
【発明の開示】
【発明が解決しようとする課題】
【０００６】
従来の照明装置においては、導光体を樹脂ケースに収納する際には、導光体を樹脂ケースの上方から押圧部の弾性に抗して概ね垂直に押し付けるだけでよく、導光体の樹脂ケースへの組込み作業が容易に行えるが、押圧部は、図９（ｂ）示したように樹脂ケースの壁部を一部切り出すことで形成されており、その周囲には切り出しの際の切り込みが設けられているため、その部位周辺の強度が低下するという問題があった。
【０００７】
壁部の強度が低下すると樹脂ケース全体が歪み易くなり、外部から応力や衝撃が印加された際に、導光体と光源との位置関係が変化して照明光の輝度が低下したり輝度ムラが生じる虞、また、樹脂ケース内に収納された導光体を始めとする構成部品自体が脱落したり破損する虞がある。特に近年開発が進んでいる薄型の照明装置においては、樹脂ケースが薄型（低背）となり、その絶対的な強度が低下するため、強度の確保がよりいっそう困難となる。
【０００８】
本発明は、以上の問題点に鑑みて成されたものであり、枠体に導光体付勢用の押圧部を設けた場合であっても、導光体を枠体へ組込み易く、尚且つ枠体の強度を損なわない照明装置を提供することを目的とする。
【課題を解決するための手段】
【０００９】
導光体と、当該導光体に光を供給する光源と、前記導光体と前記光源とを収納する枠体とを備え、前記枠体の壁部に前記導光体を当該壁部と対向する側へ付勢する押圧部が設けられた照明装置であって、前記押圧部は、前記導光体を前記枠体に組込む方向に傾斜する傾斜面を備えた舌片状乃至はそれよりも幅広の庇状とされ、前記枠体の一部を切り出すこと無く前記枠体と一体的に形成されている照明装置とする。
【００１０】
前記押圧部は、前記枠体の壁部の強度分布に応じて配置密度が変化するように複数配置されている照明装置とする。
【００１１】
前記押圧部は、前記枠体の壁部のうち強度が高い部位からそれよりも低い部位へ連続的に跨るように形成されている照明装置とする。
【００１２】
前記枠体は、外形が多角形状を成し、前記押圧部は、当該枠体の角部からそれと離反する側へ連続的に跨るように形成されている照明装置とする。
【００１３】
前記押圧部は、先端の幅が付根の幅よりも狭い照明装置とする。
【００１４】
前記押圧部は、付根から先端に向かって幅が漸減する照明装置とする。
【００１５】
前記押圧部は、一部が前記導光体の発光面よりも高位に配置されると共に、当該高位に配置された部位に前記導光体の発光面側に向かって傾斜する傾斜面を備え、当該傾斜面に端部が当接した状態で前記導光体の発光面上に光学シートが配置されている照明装置とする。
【発明の効果】
【００１６】
本発明においては、導光体を収納する枠体の壁部に設けられる導光体付勢用の押圧部が、導光体を枠体に組込む方向に傾斜する傾斜面を備えるものとされているため、導光体を枠体に組込む際には導光体を枠体に対して概ね垂直に押し付けるだけでよく、組込み作業が効率的に行え、また、押圧部は枠体の一部を切り出すこと無く枠体と一体的に形成されているため、その部位周辺の強度が低下することはない。
【発明を実施するための最良の形態】
【００１７】
導光体を収納する枠体の壁部に設けられる導光体付勢用の押圧部を、導光体を枠体に組込む方向に傾斜する傾斜面を備えた舌片状乃至はそれよりも幅広の庇状とし、枠体の一部を切り出すこと無く枠体と一体的に形成する。
【実施例１】
【００１８】
図１は、本発明の照明装置を示す図で、（ａ）上面図、（ｂ）（ａ）のＡ−Ａ’断面図、（ｃ）（ａ）のＢ−Ｂ’断面図である。ここに示す本発明の照明装置においては、平面視矩形状を成す有底の樹脂ケース１１に、同じく平面視矩形状を成す平板状の導光体（導光板）１２と、冷陰極線管から成る棒状の光源１３とが収納されており、樹脂ケース１１の周縁部を構成する４つの壁部１１ａ、１１ｂ、１１ｃ、１１ｄのうち、光源配置側の壁部を除く３つの壁部１１ｂ、１１ｃ、１１ｄには、導光体１２をそれら壁部と対向する側へ付勢する押圧部１４が設けられている。尚、本実施例において押圧部１４は、壁部１１ｃに二箇所、壁部１１ｂ、１１ｄにそれぞれ一箇所ずつ配置されている。
【００１９】
押圧部１４は、図１（ｂ）に示すように樹脂ケース１１の内底面に向かって先端が壁部から徐々に離反する舌片状の板バネとされ、従来の照明装置における押圧部のように樹脂ケースの壁部を切り出すこと無く、樹脂の金型成形により壁部と一体的に形成されている。尚、図１（ｂ）においては、押圧部１４が導光体１２の側面に当接していない初期状態を点線で示し、導光体１２の側面に当接して撓んだ状態を実線で示してある。
【００２０】
以上の押圧部１４のうち、光源１３配置側の壁部１１ａと対向する側の壁部１１ｃに設けられた二つの押圧部１４は、それと対向する導光体１２の側面に圧接することで導光体１２を光源１３側へと付勢し、これにより導光体１２の光入射面が光源１３に近接乃至は密着した状態となって、光源１３と導光体１２との間で光漏れや光の乱反射が無くなり、光源１３の出射光が導光体１２の内部へ効率的に入射されるようになると共に、樹脂ケース１１の光源１３配置側の壁部１１ａとそれと対向する側の壁部１１ｃとの間で導光体１２の位置ずれ（ガタ）が防止される。
【００２１】
一方、樹脂ケース１１の光源１３配置側の壁部１１ａと直交する側の二つの壁部１１ｂ、１１ｄに設けられた押圧部１４は、それらと対向する導光体１２の側面にそれぞれ圧接することで導光体１２を樹脂ケース１１内側へと付勢し、これにより樹脂ケース１１の互いに対向する二つの壁部１１ｂ、１１ｄの間で導光体１２の位置ずれ（ガタ）が防止される。
【００２２】
本発明において押圧部１４は、樹脂ケース１１の内底面に向かって壁部から徐々に離反する舌片状とされることで、樹脂ケース１１の内底面に向かって傾斜した状態、即ち導光体１２を樹脂ケース１１に収納する方向に傾斜した状態となっているため、導光体１２を樹脂ケース１１に収納する際には、導光体１２を樹脂ケース１１の開口端側（上方）から樹脂ケース１１の内底面に対して概ね垂直に押し付けるだけでよく、導光体１２の収納作業が効率的に行え、その一方で押圧部１４は、樹脂ケース１１の壁部を切り出すこと無く一体的に形成されているため、従来の照明装置の押圧部周囲に設けられていたような切り込みは無くなり、壁部が途中で途切れることなく連続的なものとなって、従来の照明装置に比して壁部の強度が高まる。
【００２３】
ここで、以上のように樹脂ケース１１の壁部に押圧部１４が一体的に設けられると、押圧部１４の付根周辺の肉厚が壁部に加算されることとなって壁部の厚みが局所的に増加し、押圧部１４自体が壁部の補強材としての役割を果たして壁部の強度がより高められるという効果が得られる。尚、そういった観点からすれば、壁部の強度が低い部位に複数の押圧部１４を集中的に配置する等、押圧部１４の配置密度を壁部の強度分布に応じて変化させることで、壁部の強度をより効果的に高めることも可能である。
【００２４】
ここで、本実施例１において導光体１２を樹脂ケース１１に収納する際には、まず、導光体１２を樹脂ケース１１の開口端側（上方）から樹脂ケース１１内に落とし込み、導光体１２の側端部が樹脂ケース１１の壁部に設けられた押圧部１４に突き当たって係止された状態とする。その後、以上の状態から導光体１２を押圧部１４の弾性に抗して更に押し込むと、導光体１２の側端部が押圧部１４の傾斜面上を摺動しながら押圧部１４全体を壁部側へ撓ませ、それにより導光体１２の係止状態が解除されて導光体１２が樹脂ケース１１内に完全に収納された状態になると同時に、押圧部１４が導光体１２の側面に圧接した状態となって導光体１２が光源１３側に付勢され、導光体１２が樹脂ケース１１内の所定位置に位置決め固定される。
【実施例２】
【００２５】
図２は、本発明の照明装置の他の実施例を示す図で、（ａ）上面図、（ｂ）（ａ）のＢ−Ｂ’断面図である。樹脂ケースの壁部の強度について更に言及すると、舌片状とされた押圧部１４をそれよりも幅広の庇状とすれば、壁部の厚みが増加する領域がより広範囲なものとなって壁部の強度をより高めることが可能であり、ここに示す実施例においては、樹脂ケース１１の光源１３配置側の壁部１１ａを除く３つの壁部１１ｂ、１１ｃ、１１ｄに庇状の押圧部１４がそれぞれ一箇所ずつ設けられている。
【００２６】
庇状の押圧部１４の配設位置については特に限定は無いが、少なくともその一部が、壁部の強度が高い部位からそれよりも低い部位へ連続的に跨るように、例えば、図２に示す本実施例２の如く強度が比較的高い樹脂ケース１１の角部周辺からそれよりも比較的強度が低い壁部の長手方向中央側へ連続的に跨るように設けることで、壁部の強度をより効果的に高めることができる。
【実施例３】
【００２７】
図３は、図２に示した本発明の照明装置の変形例を示す上面図で、（ａ）上面図、（ｂ）（ａ）のＡ−Ａ’断面図、（ｃ）（ａ）のＢ−Ｂ’断面図である。ここに示す実施例においては、樹脂ケース１１の壁部に設けられた押圧部１４は、壁部に対する付根周辺のみが壁部の長手方向（横幅方向）に亘って比較的突出長が短い庇状（庇状部位１４ａ）に形成され、その先端のみが舌片状（舌片状部位１４ｂ）に形成されている。
【００２８】
即ち、図２に示した前述の実施例２において、押圧部１４は、壁部の長手方向に亘って一様な突出長を有する庇状とされているため、壁部を補強するという点では優れているが、押圧部１４の幅が広くなることで押圧部１４自体の弾性が低下し、導光板１２に付勢力が過剰に作用して導光板１２を樹脂ケース１１内に組込み難くなると共に、導光体１２を樹脂ケース１１内に組込む際に導光板１２に不要な応力が掛かって導光板１２自体が破損する虞がある。
【００２９】
しかしながら、壁部の補強に主として寄与するのは、壁部の厚み方向へ盛り上がった押圧部１４の付根周辺であるため、その観点からすれば、押圧部１４の先端は必ずしも全体が導光体１２に当接する長さである必要は無く、ここに示す実施例のように、押圧部１４の付根周辺のみを先端より幅広の庇状、好ましくは導光板１２の側端部に接触しない程度に突出した庇状とするだけでも、図２に示した実施例と同等の壁部補強効果が得られる。
【００３０】
この実施例においては、図２に示した実施例２と同等の壁部補強効果が得られる一方で、導光板１２の側面に圧接するのは押圧部１４先端の舌片状部位１４ｂのみであるため、導光板１２に対する押圧部１４の付勢力が適度に緩和され、押圧部１４の過剰な付勢力によって導光板の組込み易さが損なわれる虞は無くなる。
【００３１】
また、図４は、図３に示した本発明の照明装置の変形例を示す押圧部周辺の上面図で、図３に示した上述の実施例３において、押圧部１４付根の庇状部位１４ａと押圧部１４先端の舌片状部位１４ｂ、また、押圧部１４付根の庇状部位１４ａと樹脂ケース１１の壁部とは、必ずしも段階的に接続されている必要は無く、図４に示すように押圧部１４の先端（舌片状部位１４ｂ）と付根（庇状部位１４ａ）、また、押圧部１４の付根（庇上部位１４ａ）と樹脂ケース１１の壁部とを直線又は曲線（ここでは曲線）により滑らかに接続し、押圧部１４の幅が付根から先端に向かって漸減するようにしてもよく、この構成においても図３に示した実施例３と同様の壁部補強効果、ならびに付勢力緩和効果が得られる。
【実施例４】
【００３２】
図５は、本発明の照明装置の他の実施例を示す図で、（ａ）上面図、（ｂ）（ａ）のＡ−Ａ’断面図、（ｃ）（ａ）のＢ−Ｂ’断面図である。本来、樹脂ケース１１の壁部に設けられる押圧部１４は、導光体１２を樹脂ケース１１内に位置決めする役割を果すものであるが、ここに示す実施例においては、その役割に加えて、導光体１２の発光面１２ａ上に配置される光学シート１５（拡散シート１５ａ、プリズムシート１５ｂ）を樹脂ケース１１内に位置決めする役割をも果すものとして構成されている。
【００３３】
即ち、本実施例において押圧部１４は、その一部（付根周辺）が導光体１２の発光面１２ａよりも高位に配置されており、その高位に配置された部位に光学シート１５の端部が当接した状態となっている。ここで、押圧部１４は、付根周辺を含む全体が樹脂ケース１１の内底面に向かって傾斜した状態となっており、そこに当接した光学シート１５の端部が押圧部１４の傾斜面１４ｃに沿って案内されることで、光学シート１５が４つの押圧部１４に囲まれた領域の中央付近に位置決めされた状態となる。
【００３４】
尚、光学シート１５は、その端部が押圧部１４の傾斜面１４ｃに当接するかそれに限りなく近い状態となるように外形サイズが調整されており、特に導光体１２の発光面１２ａから離れた側に配置される光学シート１５（ここではプリズムシート１５ｂ）の方が、それより下層に配置される光学シート１５（ここでは拡散シート１５ａ）よりも外形サイズが大きくなるように構成されている。
【００３５】
以上のように光学シート１５が押圧部１４を介して樹脂ケース１１内に位置決めされるようにすれば、光学シート１５の樹脂ケース１１内における位置ずれ（ガタ）が防止され、光学シート１５の位置ずれに起因する照明光の光学的特性の変化（輝度ムラ等）が防止されると共に、一方では、光学シート１５の外形サイズが熱膨張により拡大した場合であっても、光学シート１５の端部が押圧部１４の傾斜面１４ｃに乗り上がることでその変位が吸収され、光学シート１５の撓みに起因する照明光の光学的特性の変化が防止される。
【００３６】
図６は、光学シートの端部が押圧部の傾斜面に乗り上がった状態を示す要部拡大断面図で、光学シート１５が熱膨張した際には、ここに示すように光学シート１５（拡散シート１５ａ、プリズムシート１５ｂ）の端部が押圧部１４の傾斜面１４ｃに乗り上がり、光学シート１５の撓みが防止される。
【００３７】
尚、光学シート１５の撓みを防止するという効果を得るに当たっては、光学シート１５が熱膨張した際にその端部が押圧部１４の傾斜面１４ｃに確実に乗り上がるようにするため、光学シート１５が熱膨張していない初期状態において、その端部が押圧部１４の傾斜面１４ｃに僅かに乗り上がるように、予め光学シート１５の外形サイズを調整しておくのが好ましい。
【実施例５】
【００３８】
図７は、本発明の照明装置の他の実施例を示す図で、（ａ）上面図、（ｂ）（ａ）のＡ−Ａ’断面図、（ｃ）（ａ）のＢ−Ｂ’断面図である。上述の実施例１〜４において樹脂ケース１１の壁部に設けられた押圧部１４は、樹脂ケース１１の内底面に向かって全体が傾斜する板バネ形状とされていたのに対し、ここに示す実施例においては、押圧部１４の一部のみが局所的に傾斜面を有するものとされている。
【００３９】
即ち、本実施例における押圧部１４は、図７（ｂ）に示すように突出方向に切った断面が略Ｌ字型を成し、そのＬ字の長辺側が導光体１２の対向する側面と平行になるように先端を樹脂ケース１１の内底面に向けて配置されると共に、その導光体１２の側面と対向するＬ字の長辺部位には、導光体１２の側面に向かって突出する半球状の突起部１４ｄが一体的に形成されており、この突起部１４ｄが導光体１２の側面に圧接することで、導光体１２が樹脂ケース１１の内側へ付勢されている。
【００４０】
この構成においては、押圧部１４に形成された半球状の突起部１４ｄの球面が実施例１〜４における押圧部１４の傾斜面と同様の役割を果し、導光体１２を樹脂ケース１１に収納する際に導光体１２の側端部を摺動させるようになっている。尚、突起部１４ｄは、少なくとも導光体１２を樹脂ケース１１に収納する際に導光体１２の側端部が当接する部位が傾斜面とされていればよく、その形態も球面に限らず、曲面や平坦な傾斜面であってもよい。
【実施例６】
【００４１】
図８は、図７に示した本発明の照明装置の変形例を示す図で、（ａ）上面図、（ｂ）（ａ）のＡ−Ａ’断面図、（ｃ）（ａ）のＢ−Ｂ’断面図である。図７に示した上述の実施例５においては、押圧部１４の形状を一部変更することにより、図５に示した実施例４と同様に光学シート１５の位置決めを行うことが可能である。
【００４２】
即ち、本実施例においては、図８に示すように断面略Ｌ字型を成す押圧部１４の一部（付根周辺）が導光体１２の発光面１２ａよりも高位に配置されると共に、その高位に配置された部位に導光体１２の発光面１２ａ側に向かって傾斜する平坦な傾斜面１４ｃが形成されており、その傾斜面１４ｃに導光体１２の発光面１２ａ上に配置された光学シート１５（拡散シート１５ａ、プリズムシート１５ｂ）の側端部が当接することで、光学シート１５が位置決めされた状態となっている。尚、傾斜面１４ｃは、平坦面に限らず、曲面であってもよい。
【００４３】
以上、幾つかの実施例を示して本発明の照明装置について説明したが、本発明はそれらの実施例に限定されるものではなく、本発明の趣旨を逸脱しない範囲内において種々の変更が可能である。例えば、本発明において導光体を収納する枠体は、実施例で示したような有底の樹脂ケースに限らず、底を有しない額縁状のものであってもよく、外形についても収納する導光体の形状に応じて種々の形態を採り得るものであり、材質についても樹脂に限らず金属等であってもよい。また、枠体の壁部に設けられる押圧部の形状や配置個所について特に限定は無く、導光体の組込み易さの観点から、少なくとも導光体を枠体に組込む方向に傾斜するように形成されていればよく、例えば、導光体を枠体の側面側からスライド挿入するような構成の場合には、その挿入方向に合わせて押圧部の傾斜方向を選択すればよい。また、光源は、実施例で示したような棒状の冷陰極線管に限らず、ＬＥＤ等の点状光源であってもよい。
【図面の簡単な説明】
【００４４】
【図１】本発明の照明装置を示す図で、（ａ）上面図、（ｂ）（ａ）のＡ−Ａ’断面図、（ｃ）（ａ）のＢ−Ｂ’断面図（実施例１）
【図２】本発明の照明装置を示す図で、（ａ）上面図、（ｂ）（ａ）のＢ−Ｂ’断面図（実施例２）
【図３】本発明の照明装置を示す図で、（ａ）上面図、（ｂ）（ａ）のＡ−Ａ’断面図、（ｃ）（ａ）のＢ−Ｂ’断面図（実施例３）
【図４】図３に示す本発明の照明装置の変形例を示す上面図
【図５】本発明の照明装置を示す図で、（ａ）上面図、（ｂ）（ａ）のＡ−Ａ’断面図、（ｃ）（ａ）のＢ−Ｂ’断面図（実施例４）
【図６】光学シートの端部が押圧部の傾斜面に乗り上がった状態を示す要部拡大断面図
【図７】本発明の照明装置を示す図で、（ａ）上面図、（ｂ）（ａ）のＡ−Ａ’断面図、（ｃ）（ａ）のＢ−Ｂ’断面図（実施例５）
【図８】本発明の照明装置を示す図で、（ａ）上面図、（ｂ）（ａ）のＡ−Ａ’断面図、（ｃ）（ａ）のＢ−Ｂ’断面図（実施例６）
【図９】従来の照明装置を示す図で、（ａ）分解斜視図、（ｂ）（ａ）の要部拡大図
【符号の説明】
【００４５】
１      導光体
２      樹脂ケース
２ａ    壁部
２ｂ    光源収納用凹部
３      光源ユニット
４      押圧部
４ａ    突起部
１１    樹脂ケース
１１ａ  壁部
１１ｂ  壁部
１１ｃ  壁部
１１ｄ  壁部
１２    導光体
１２ａ  発光面
１３    光源（冷陰極線管）
１４    押圧部
１４ａ  庇状部位
１４ｂ  舌片状部位
１４ｃ  傾斜面
１４ｄ  突起部
１５    光学シート
１５ａ  拡散シート
１５ｂ  プリズムシート
【図１】
2009032541.tif 000003
【図２】
2009032541.tif 000004
【図３】
2009032541.tif 000005
【図４】
2009032541.tif 000006
【図５】
2009032541.tif 000007
【図６】
2009032541.tif 000008
【図７】
2009032541.tif 000009
【図８】
2009032541.tif 000010
【図９】
2009032541.tif 000011